(57)【要約】      （修正有）【課題】停電時に自動的に作動できるＬＥＤ照明灯で、電力が供給されない原因を識別し、停電時に応急照明を作動させ、誤作動を回避することができるＬＥＤ照明灯を提供する。【解決手段】照明器具本体１と商用電源誘導回路２４１を含み、照明器具本体はＬＥＤ灯セット１４、蓄電装置１５、及び制御回路１２１を含み、蓄電装置とＬＥＤ灯セットはそれぞれ制御回路に接続される。このうち、商用電力９が給電されない時、商用電源誘導回路が制御回路に停電信号を送り、制御回路が停電信号を受信すると、蓄電装置がＬＥＤ灯セット内の少なくとも一部のＬＥＤ灯を通電させて応急照明を作動させる。【選択図】図１
0003174544.tif 000002
【実用新案登録請求の範囲】
【請求項１】
ＬＥＤ灯セット、蓄電装置、及び制御回路を含み、前記ＬＥＤ灯セットと前記蓄電装置はそれぞれ前記制御回路に電気的に接続され、前記ＬＥＤ灯セットにおける少なくとも一部のＬＥＤ灯が商用電力の給電や前記蓄電装置の給電によって照明光線を出力する照明器具本体と、
一般の商用電源コンセントに接続されて、電子機能を提供する電気装置内に設けられた商用電源誘導回路と、
を含み、前記商用電源が前記一般の商用電源コンセントに給電できない場合、前記商用電源誘導回路は前記制御回路に停電信号を出力して、前記蓄電装置が前記ＬＥＤ灯セット内の少なくとも一部のＬＥＤ灯に給電することを特徴とするＬＥＤ照明灯。
【請求項２】
前記電気装置は室内電気装置や室外電気装置でよく、前記電気装置は更に、検知範囲内に人体が進入したか否かを検知するための人体センサを含み、前記人体が前記検知範囲内に進入したのを前記人体センサが検知すると、人体検知信号を発して、前記電気装置が前記電子機能を提供することを特徴とする請求項１に記載のＬＥＤ照明灯。
【請求項３】
前記電気装置は更に、前記電気装置が置かれている環境の輝度を検知するための光センサを含むことを特徴とする請求項２に記載のＬＥＤ照明灯。
【請求項４】
前記電気装置は小型常夜灯で、前記電子機能は照明機能であり、前記電気装置は更に調節ノブを含み、ユーザは前記調節ノブを操作して前記小型常夜灯が複数の作動モードのうちの何れにあるかを選択することを特徴とする請求項２に記載のＬＥＤ照明灯。
【請求項５】
前記複数の作動モードはオンモード、自動モード及びオフモードを含み、前記小型常夜灯が前記オンモードにある時、前記小型常夜灯は照明光線を出力し続け、前記小型常夜灯が前記自動モードにある時、前記小型常夜灯は前記人体が前記検知範囲内に進入したのを前記人体センサが検知すると照明光線を出力し、前記小型常夜灯がオフモードにある時、前記小型常夜灯は照明光線を出力しないままであることを特徴とする請求項４に記載のＬＥＤ照明灯。
【請求項６】
前記電気装置は電源延長コードコンセント、監視装置、又はファン装置であることを特徴とする請求項２に記載のＬＥＤ照明灯。
【請求項７】
前記蓄電装置は乾電池、蓄電池、又はリチウム電池で、前記蓄電装置は前記照明器具本体の内部に設けられるか、又は外部に取付けられ、前記照明器具本体はＬＥＤ電球、感知式ＬＥＤ電球、ＬＥＤ管形電球、又は感知式ＬＥＤ管形電球であることを特徴とする請求項１に記載のＬＥＤ照明灯。
【請求項８】
前記制御回路は無線信号受信回路を含み、前記商用電源誘導回路は無線信号発信回路を含み、前記商用電力が前記一般の商用電源コンセントに給電できない時、前記停電信号を前記無線信号受信回路に出力し、また／或いは前記商用電力が前記一般の商用電源コンセントに給電する時、受信信号を前記無線信号受信回路に出力することを特徴とする請求項１に記載のＬＥＤ照明灯。
【請求項９】
前記ＬＥＤ灯セット灯セットは前記商用電力の給電によって第１照明パラメータを備えた照明光線を出力し、前記蓄電装置の給電によって第２照明パラメータを備えた照明光線を出力することを特徴とする請求項８に記載のＬＥＤ照明灯。
【請求項１０】
前記ＬＥＤ灯セット灯セットは少なくとも第１ＬＥＤ灯セットと第２ＬＥＤ灯セットを含み、前記第１ＬＥＤ灯セットは前記第１照明パラメータを備えた照明光線を出力し、前記第２ＬＥＤ灯セットは前記第２照明パラメータを備えた照明光線を出力し、前記第１ＬＥＤ灯セットの前記第１照明パラメータを備えた照明光線を出力する際に必要な消費電力が、前記第２ＬＥＤ灯セットの前記第２照明パラメータを備えた照明光線を出力する際に必要な消費電力より大きいことを特徴とする請求項９に記載のＬＥＤ照明灯。
【請求項１１】
前記制御回路は更に商用電力給電回路と停電制御回路を含み、前記商用電力給電回路は前記第１ＬＥＤ灯セットに電気的に接続され、前記停電制御回路は電圧調整回路、充電回路、及び第１制御チップを含み、前記電圧調整回路は前記商用電力給電回路と前記充電回路の間に電気的に接続され、前記充電回路は前記電圧調整回路と前記蓄電装置の間に電気的に接続され、前記第１制御チップは前記蓄電装置と前記第２ＬＥＤ灯セットの間に電気的に接続され、前記無線信号受信回路は前記第１制御チップの信号入力端子に電気的に接続されることを特徴とする請求項１０に記載のＬＥＤ照明灯。
【請求項１２】
前記商用電源誘導回路は更に、整流回路、変圧回路、低圧の電圧調整回路、第２制御チップ、及び低圧の給電装置を含み、前記第２制御チップは少なくとも第１電源入力端子、第２電源入力端子、及び無線信号出力端子を備え、前記整流回路は前記変圧回路に、前記変圧回路は前記低圧の電圧調整回路に、前記低圧の電圧調整回路は前記第１電源入力端子に、前記低圧の給電装置は前記第２電源入力端子に、前記無線信号発信回路は前記無線信号出力端子にそれぞれ電気的に接続されることを特徴とする請求項１１に記載のＬＥＤ照明灯。
【請求項１３】
前記商用電源誘導回路は更に、前記第２制御チップに電気的に接続されるスイッチ信号制御チップを含むことを特徴とする請求項１２に記載のＬＥＤ照明灯。
【請求項１４】
ＬＥＤ灯セット、蓄電装置、及び制御回路を含み、前記ＬＥＤ灯セットと前記蓄電装置はそれぞれ前記制御回路に電気的に接続され、前記ＬＥＤ灯セットが商用電力の給電によって第１照明パラメータを備えた照明光線を出力し、又は前記蓄電装置の給電によって第２照明パラメータを備えた照明光線を出力する照明器具本体と、
前記商用電力が前記商用電源誘導装置に給電できない時、停電信号を前記制御回路に出力して、前記蓄電装置が前記ＬＥＤ灯セットに給電するための商用電源誘導回路を含む商用電源誘導装置と、
を含むことを特徴とするＬＥＤ照明灯。
【請求項１５】
前記蓄電装置は乾電池、蓄電池、又はリチウム電池で、前記蓄電装置は前記照明器具本体の内部に設けられるか、又は外部に取付けられ、前記照明器具本体はＬＥＤ電球、感知式ＬＥＤ電球、ＬＥＤ管形電球、又は感知式ＬＥＤ管形電球であることを特徴とする請求項１４に記載のＬＥＤ照明灯。
【請求項１６】
前記制御回路は無線信号受信回路を含み、前記商用電源誘導回路は無線信号発信回路を含み、前記商用電力が前記商用電源誘導装置に給電できない時、前記停電信号を前記無線信号受信回路に出力し、また／或いは前記商用電力が前記商用電源誘導装置に給電する時、受信信号を前記無線信号受信回路に出力することを特徴とする請求項１４に記載のＬＥＤ照明灯。
【請求項１７】
前記ＬＥＤ灯セットは少なくとも第１ＬＥＤ灯セットと第２ＬＥＤ灯セットを含み、前記第１ＬＥＤ灯セットは前記第１照明パラメータを備えた照明光線を出力し、前記第２ＬＥＤ灯セットは前記第２照明パラメータを備えた照明光線を出力し、前記第１ＬＥＤ灯セットの前記第１照明パラメータを備えた照明光線を出力する際に必要な消費電力が、前記第２ＬＥＤ灯セットの前記第２照明パラメータを備えた照明光線を出力する際に必要な消費電力より大きいことを特徴とする請求項１６に記載のＬＥＤ照明灯。
【請求項１８】
前記制御回路は更に商用電力給電回路と停電制御回路を含み、前記商用電力給電回路は前記第１ＬＥＤ灯セットに電気的に接続され、前記停電制御回路は電圧調整回路、充電回路、及び第１制御チップを含み、前記電圧調整回路は前記商用電力給電回路と前記充電回路の間に電気的に接続され、前記充電回路は前記電圧調整回路と前記蓄電装置の間に電気的に接続され、前記第１制御チップは前記蓄電装置と前記第２ＬＥＤ灯セットの間に電気的に接続され、前記無線信号受信回路は前記第１制御チップの信号入力端子に電気的に接続されることを特徴とする請求項１７に記載のＬＥＤ照明灯。
【請求項１９】
前記商用電源誘導回路は更に、整流回路、変圧回路、低圧の電圧調整回路、第２制御チップ、及び低圧の給電装置を含み、前記第２制御チップは少なくとも第１電源入力端子、第２電源入力端子、及び無線信号出力端子を備え、前記整流回路は前記変圧回路に、前記変圧回路は前記低圧の電圧調整回路に、前記低圧の電圧調整回路は前記第１電源入力端子に、前記低圧の給電装置は前記第２電源入力端子に、前記無線信号発信回路は前記無線信号出力端子にそれぞれ電気的に接続されることを特徴とする請求項１８に記載のＬＥＤ照明灯。
【請求項２０】
前記商用電源誘導回路は更に、前記第２制御チップに電気的に接続されるスイッチ信号制御チップを含むことを特徴とする請求項１９に記載のＬＥＤ照明灯。
【請求項２１】
前記商用電源誘導装置は一般の商用電源コンセントに差し込まれ、又は電気装置内に設けられることを特徴とする請求項１４に記載のＬＥＤ照明灯。
【請求項２２】
前記電気装置は室内電気装置や室外電気装置でよく、前記電気装置は更に、検知範囲内に人体が進入したか否かを検知するための人体センサを含み、前記人体が前記検知範囲内に進入したのを前記人体センサが検知すると、人体検知信号を発して、前記室内電気装置が電子機能を提供することを特徴とする請求項２１に記載のＬＥＤ照明灯。
【請求項２３】
前記電気装置は小型常夜灯で、前記電子機能は照明機能であり、前記電気装置は更に調節ノブを含み、ユーザは前記調節ノブを操作して前記小型常夜灯が複数の作動モードのうちの何れにあるかを選択することを特徴とする請求項２２に記載のＬＥＤ照明灯。
【請求項２４】
前記複数の作動モードはオンモード、自動モード及びオフモードを含み、前記小型常夜灯が前記オンモードにある時、前記小型常夜灯は照明光線を出力し続け、前記小型常夜灯が前記自動モードにある時、前記小型常夜灯は前記人体が前記検知範囲内に進入したのを前記人体センサが検知すると照明光線を出力し、前記小型常夜灯がオフモードにある時、前記小型常夜灯は照明光線を出力しないままであることを特徴とする請求項２３に記載のＬＥＤ照明灯。
【請求項２５】
前記電気装置は電源延長コードコンセント、監視装置、又はファン装置であることを特徴とする請求項２１に記載のＬＥＤ照明灯。
【請求項２６】
前記電気装置は更に、前記電気装置が置かれている環境の輝度を検知するための光センサを含むことを特徴とする請求項２１に記載のＬＥＤ照明灯。
【考案の詳細な説明】
【技術分野】
【０００１】
本考案は、ＬＥＤ照明灯技術に関し、より詳しくは、緊急照明機能を備えたＬＥＤ照明灯に関する。
【背景技術】
【０００２】
既存の技術では、ＬＥＤ照明灯はオフィス、家庭等の室内環境に大量に使用されており、しかもＬＥＤ照明灯はスイッチで商用電力に電気的に接続されており、即ち、ユーザは制御スイッチによってＬＥＤ照明灯を点灯させたり消灯させたりできる。また、既存の応急照明に使用される通路の応急灯は、その使用電源が切断されると、電源コードが抜けたり、スイッチを切ったり、或いは商用電力が停電状態となったりといったどの様な原因であろうと、通路の応急灯が点灯して応急照明を提供する。
【考案の概要】
【考案が解決しようとする課題】
【０００３】
しかしながら、前記した従来の技術では、ＬＥＤ照明灯が通路の応急灯のように応急照明を提供できる機能を備えようとすると難点がある。詳述すると、通路の応急灯は電力が供給されなくなった原因が識別できない、つまり、停電なのか、スイッチが切れたのか、それとも電源コードが抜けてしまったのか識別できない。
このため、通路の応急灯の技術が一般のＬＥＤ照明灯に応用されれば、同様に電力が供給されなくなった原因が識別できない。このように、ユーザがＬＥＤ照明灯の使用環境から離れようとしてスイッチを切ると、ＬＥＤ照明灯に誤った判断が生じて誤作動を生じ、即ち、ＬＥＤ照明灯が消灯しないだけでなく、更に応急照明を作動させてしまう。従って、如何にして一般のＬＥＤ照明灯に応急照明の機能を持たせて誤作動を起こさせないようするか、技術的に乗り越える必要がある。
【０００４】
本考案は、このような従来の問題に鑑みてなされたものである。上記課題解決のため、本考案は、停電時に自動的に点灯できるＬＥＤ照明灯で、電力が供給されない原因を識別し、停電時に応急照明を点灯させ、誤作動を回避することができるＬＥＤ照明灯を提供することを主目的とする。
【０００５】
なお、本考案の別の目的は停電時に自動的に作動できるＬＥＤ照明灯であって、停電時に小さな消費電力でＬＥＤ灯セットが応急照明を提供し、応急照明の時間が延長されるＬＥＤ照明灯を提供する。
【０００６】
さらに、本考案の別の目的は停電時に自動的に点灯できるＬＥＤ照明灯であって、使用スペースを余計に取ったり、一般の商用電源コンセントを余分に占めたりする必要なくして、応急照明が提供できると共に、電力が供給されない原因を識別して、誤作動が起きるのを回避することができるＬＥＤ照明灯を提供する。
【課題を解決するための手段】
【０００７】
上記の課題を解決し、目的を達成するために、好ましい実施形態では、本考案に係るＬＥＤ照明灯は、ＬＥＤ灯セット、蓄電装置、及び制御回路を含み、前記ＬＥＤ灯セットと前記蓄電装置はそれぞれ前記制御回路に電気的に接続され、前記ＬＥＤ灯セットにおける少なくとも一部のＬＥＤ灯が商用電力の給電や前記蓄電装置の給電によって照明光線を出力する照明器具本体と、一般の商用電源コンセントに接続されて、電子機能を提供する電気装置内に設けられた商用電源誘導回路とを含み、前記商用電力が前記一般の商用電源コンセントに給電できない場合、前記商用電源誘導回路は前記制御回路に停電信号を出力して、前記蓄電装置が前記ＬＥＤ灯セット内の少なくとも一部のＬＥＤ灯に給電することを特徴とする。
【０００８】
好ましい実施形態では、前記電気装置は室内電気装置や室外電気装置でよく、前記電気装置は更に、検知範囲内に人体が進入したか否かを検知するための人体センサを含み、前記人体が前記検知範囲内に進入したのを前記人体センサが検知すると、人体検知信号を発して、前記電気装置が前記電子機能を提供することを特徴とする。
【０００９】
好ましい実施形態では、前記電気装置は更に、前記電気装置が置かれている環境の輝度を検知するための光センサを含むことを特徴とする。
【００１０】
好ましい実施形態では、前記電気装置は小型常夜灯で、前記電子機能は照明機能であり、前記電気装置は更に調節ノブを含み、ユーザは前記調節ノブを操作して前記小型常夜灯が複数の作動モードのうちの何れにあるかを選択することを特徴とする。
【００１１】
好ましい実施形態では、前記複数の作動モードはオンモード、自動モード及びオフモードを含み、前記小型常夜灯が前記オンモードにある時、前記小型常夜灯は照明光線を出力し続け、前記小型常夜灯が前記自動モードにある時、前記小型常夜灯は前記人体が前記検知範囲内に進入したのを前記人体センサが検知すると照明光線を出力し、前記小型常夜灯がオフモードにある時、前記小型常夜灯は照明光線を出力しないままであることを特徴とする。
【００１２】
好ましい実施形態では、前記電気装置は電源延長コードコンセント、監視装置、又はファン装置であることを特徴とする。
【００１３】
好ましい実施形態では、前記蓄電装置は乾電池、蓄電池、又はリチウム電池で、前記蓄電装置は前記照明器具本体の内部に設けられるか、又は外部に取付けられ、前記照明器具本体はＬＥＤ電球、感知式ＬＥＤ電球、ＬＥＤ管形電球、又は感知式ＬＥＤ管形電球であることを特徴とする。
【００１４】
好ましい実施形態では、前記制御回路は無線信号受信回路を含み、前記商用電源誘導回路は無線信号発信回路を含み、前記商用電力が前記一般の商用電源コンセントに給電できない時、前記停電信号を前記無線信号受信回路に出力し、また／或いは前記商用電力が前記一般の商用電源コンセントに給電する時、受信信号を前記無線信号受信回路に出力することを特徴とする。
【００１５】
好ましい実施形態では、前記ＬＥＤ灯セットは前記商用電力の給電によって第１照明パラメータを備えた照明光線を出力し、前記蓄電装置の給電によって第２照明パラメータを備えた照明光線を出力することを特徴とする。
【００１６】
好ましい実施形態では、前記ＬＥＤ灯セットは少なくとも第１ＬＥＤ灯セットと第２ＬＥＤ灯セットを含み、前記第１ＬＥＤ灯セットは前記第１照明パラメータを備えた照明光線を出力し、前記第２ＬＥＤ灯セットは前記第２照明パラメータを備えた照明光線を出力し、前記第１ＬＥＤ灯セットの前記第１照明パラメータを備えた照明光線を出力する際に必要な消費電力が、前記第２ＬＥＤ灯セットの前記第２照明パラメータを備えた照明光線を出力する際に必要な消費電力より大きいことを特徴とする。
【００１７】
好ましい実施形態では、前記制御回路は更に商用電力給電回路と停電制御回路を含み、前記商用電力給電回路は前記第１ＬＥＤ灯セットに電気的に接続され、前記停電制御回路は電圧調整回路、充電回路、及び第１制御チップを含み、前記電圧調整回路は前記商用電力給電回路と前記充電回路の間に電気的に接続され、前記充電回路は前記電圧調整回路と前記蓄電装置の間に電気的に接続され、前記第１制御チップは前記蓄電装置と前記第２ＬＥＤ灯セットの間に電気的に接続され、前記無線信号受信回路は前記第１制御チップの信号入力端子に電気的に接続されることを特徴とする。
【００１８】
好ましい実施形態では、前記商用電源誘導回路は更に、整流回路、変圧回路、低圧の電圧調整回路、第２制御チップ、及び低圧の給電装置を含み、前記第２制御チップは少なくとも第１電源入力端子、第２電源入力端子、及び無線信号出力端子を備え、前記整流回路は前記変圧回路に、前記変圧回路は前記低圧の電圧調整回路に、前記低圧の電圧調整回路は前記第１電源入力端子に、前記低圧の給電装置は前記第２電源入力端子に、前記無線信号発信回路は前記無線信号出力端子にそれぞれ電気的に接続されることを特徴とする。
【００１９】
好ましい実施形態では、前記商用電源誘導回路は更に、前記第２制御チップに電気的に接続されるスイッチ信号制御チップを含むことを特徴とする。
【００２０】
好ましい実施形態では、本考案に係るＬＥＤ照明灯は、ＬＥＤ灯セット、蓄電装置、及び制御回路を含み、前記ＬＥＤ灯セットと前記蓄電装置はそれぞれ前記制御回路に電気的に接続され、前記ＬＥＤ灯セットが商用電力の給電によって第１照明パラメータを備えた照明光線を出力し、又は前記蓄電装置の給電によって第２照明パラメータを備えた照明光線を出力する照明器具本体と、前記商用電力が前記商用電源誘導装置に給電できない時、停電信号を前記制御回路に出力して、前記蓄電装置が前記ＬＥＤ灯セットに給電するための商用電源誘導回路を含む商用電源誘導装置とを含むことを特徴とする。
【００２１】
好ましい実施形態では、前記蓄電装置は乾電池、蓄電池、又はリチウム電池で、前記蓄電装置は前記照明器具本体の内部に設けられるか、又は外部に取付けられ、前記照明器具本体はＬＥＤ電球、感知式ＬＥＤ電球、ＬＥＤ管形電球、又は感知式ＬＥＤ管形電球であることを特徴とする。
【００２２】
好ましい実施形態では、前記制御回路は無線信号受信回路を含み、前記商用電源誘導回路は無線信号発信回路を含み、前記商用電力が前記商用電源誘導装置に給電できない時、前記停電信号を前記無線信号受信回路に出力し、また／或いは前記商用電力が前記商用電源誘導装置に給電する時、受信信号を前記無線信号受信回路に出力することを特徴とする。
【００２３】
好ましい実施形態では、前記ＬＥＤ灯セットは少なくとも第１ＬＥＤ灯セットと第２ＬＥＤ灯セットを含み、前記第１ＬＥＤ灯セットは前記第１照明パラメータを備えた照明光線を出力し、前記第２ＬＥＤ灯セットは前記第２照明パラメータを備えた照明光線を出力し、前記第１ＬＥＤ灯セットの前記第１照明パラメータを備えた照明光線を出力する際に必要な消費電力が、前記第２ＬＥＤ灯セットの前記第２照明パラメータを備えた照明光線を出力する際に必要な消費電力より大きいことを特徴とする。
【００２４】
好ましい実施形態では、前記制御回路は更に商用電力給電回路と停電制御回路を含み、前記商用電力給電回路は前記第１ＬＥＤ灯セットに電気的に接続され、前記停電制御回路は電圧調整回路、充電回路、及び第１制御チップを含み、前記電圧調整回路は前記商用電力給電回路と前記充電回路の間に電気的に接続され、前記充電回路は前記電圧調整回路と前記蓄電装置の間に電気的に接続され、前記第１制御チップは前記蓄電装置と前記第２ＬＥＤ灯セットの間に電気的に接続され、前記無線信号受信回路は前記第１制御チップの信号入力端子に電気的に接続されることを特徴とする。
【００２５】
好ましい実施形態では、前記商用電源誘導回路は更に、整流回路、変圧回路、低圧の電圧調整回路、第２制御チップ、及び低圧の給電装置を含み、前記第２制御チップは少なくとも第１電源入力端子、第２電源入力端子、及び無線信号出力端子を備え、前記整流回路は前記変圧回路に、前記変圧回路は前記低圧の電圧調整回路に、前記低圧の電圧調整回路は前記第１電源入力端子に、前記低圧の給電装置は前記第２電源入力端子に、前記無線信号発信回路は前記無線信号出力端子にそれぞれ電気的に接続されることを特徴とする。
【００２６】
好ましい実施形態では、前記商用電源誘導回路は更に、前記第２制御チップに電気的に接続されるスイッチ信号制御チップを含むことを特徴とする。
【００２７】
好ましい実施形態では、前記商用電源誘導装置は一般の商用電源コンセントに差し込まれ、又は電気装置内に設けられることを特徴とする。
【００２８】
好ましい実施形態では、前記電気装置は室内電気装置や室外電気装置でよく、前記電気装置は更に、検知範囲内に人体が進入したか否かを検知するための人体センサを含み、前記人体が前記検知範囲内に進入したのを前記人体センサが検知すると、人体検知信号を発して、前記室内電気装置が電子機能を提供することを特徴とする。
【００２９】
好ましい実施形態では、前記電気装置は小型常夜灯で、前記電子機能は照明機能であり、前記電気装置は更に調節ノブを含み、ユーザは前記調節ノブを操作して前記小型常夜灯が複数の作動モードのうちの何れにあるかを選択することを特徴とする。
【００３０】
好ましい実施形態では、前記複数の作動モードはオンモード、自動モード及びオフモードを含み、前記小型常夜灯が前記オンモードにある時、前記小型常夜灯は照明光線を出力し続け、前記小型常夜灯が前記自動モードにある時、前記小型常夜灯は前記人体が前記検知範囲内に進入したのを前記人体センサが検知すると照明光線を出力し、前記小型常夜灯がオフモードにある時、前記小型常夜灯は照明光線を出力しないままであることを特徴とする。
【００３１】
好ましい実施形態では、前記電気装置は電源延長コードコンセント、監視装置、又はファン装置であることを特徴とする。
【００３２】
好ましい実施形態では、前記電気装置は更に、前記電気装置が置かれている環境の輝度を検知するための光センサを含むことを特徴とする。
【考案の効果】
【００３３】
本考案によれば、停電時に自動的に点灯できるＬＥＤ照明灯で、電力が供給されない原因を識別し、停電時に応急照明を点灯させ、誤作動を回避することができるＬＥＤ照明灯が得られる。
【図面の簡単な説明】
【００３４】
【図１】本考案に係るＬＥＤ照明灯の好ましい実施形態におけるブロック概略図である。
【図２】本考案に係るＬＥＤ照明灯の好ましい実施形態における照明器具本体 の外観構造の概略図である。
【図３】図２に示された照明器具本体の部材の一部の分解斜視図である。
【図４】図２に示された照明器具本体の制御回路の概略図である。
【図５】図２に示された照明器具本体の作動フローチャートである。
【図６】本考案に係るＬＥＤ照明灯の好ましい実施形態における商用電源誘導回路の概略図である。
【図７】図６に示された商用電源誘導回路の作動フローチャートである。
【図８】好ましい実施形態における図６に示された商用電源誘導回路を設けた電気装置の外観構造の概略図である。
【図９】図６に示された電気装置の別の視角からの外観構造の概略図である。
【図１０】図６に示された電気装置の部材の一部の分解斜視図である。
【考案を実施するための形態】
【００３５】
以下、本考案の実施形態を図面に基づいて説明する。なお、本考案は、以下に説明する実施形態に限定されるものではない。
【実施例】
【００３６】
本考案の第１実施形態の構成を図１から図１０に示す。図１は本考案に係るＬＥＤ照明灯の好ましい実施形態におけるブロック概略図である。ＬＥＤ照明灯は照明器具本体１と商用電源誘導回路２４１を含み、照明器具本体１と商用電源誘導回路２４１は２つの独立した部材である。照明器具本体１はＬＥＤ灯セット１４、蓄電装置１５、及び制御回路１２１を含み、商用電源誘導回路２４１は一般の商用電源コンセント８に電気的に接続されて、商用電力９が停電状態にあるか否かを検知する。
【００３７】
詳述すると、商用電力９が一般の商用電源コンセント８に給電できない時、商用電源誘導回路２４１は停電信号を照明器具本体１の制御回路１２１に出力して、蓄電装置１５がＬＥＤ灯セット１４内の少なくとも一部のＬＥＤ灯に給電し、照明器具本体１が照明光線を出力する。照明器具本体１の制御回路１２１と商用電源誘導回路２４１との間は、無線通信方式で信号を伝送するのが好ましいが、これに限らない。従って、本考案に係るＬＥＤ照明灯の照明器具本体１は商用電力９が正常に給電される状況で一般照明の機能が提供できるだけでなく、商用電力９が停電状態にあることを商用電源誘導回路２４１が検知すると、緊急照明の機能を提供することができる。
【００３８】
図２は本考案ＬＥＤ照明灯の好ましい実施形態における照明器具本体の外観構造の概略図、図３は図２に示された照明器具本体の部材の一部の分解斜視図、図４は図２に示された照明器具本体の制御回路の概略図、図５は図２に示された照明器具本体の作動フローチャート、図６は本考案に係るＬＥＤ照明灯の好ましい実施形態における商用電源誘導回路の概略図、図７は図６に示された商用電源誘導回路の作動フローチャートである。
【００３９】
照明器具本体１はソケット１１、制御回路基板１２、制御回路基板１２の収容が可能なアルミ製ハウジング１３、ＬＥＤ灯セット１４、及び蓄電装置１５を含み、制御回路基板１２上に蓄電装置１５とＬＥＤ灯セット１４との双方に電気的に接続された制御回路１２１を形成し、図４のように、商用電源誘導回路２４１は一般の商用電源コンセント（図示せず）に電気的に接続される。商用電力エネルギーが一般の商用電源コンセントに給電されると、商用電源誘導回路２４１は受信信号を制御回路１２１に送信し、商用電力が一般の商用電源コンセントに給電できないと、商用電源誘導回路２４１は停電信号を制御回路１２１に送信する。この時、蓄電装置１５はＬＥＤ灯セット１４内の少なくとも一部のＬＥＤ灯に通電されて、応急照明を提供する。即ち、商用電力が停電状態にある時、ＬＥＤ灯セット１４内の一部のＬＥＤ灯が点灯するよう、又はＬＥＤ灯セット１４内の全部のＬＥＤ灯が点灯するよう設計することができる。
【００４０】
さらに、蓄電装置１５は乾電池、蓄電池、又はリチウム電池を選択することができ、本実施形態では蓄電装置１５を照明器具本体１の内部に設けたが、蓄電装置１５は外付け式の蓄電装置で照明器具本体１の外部に取付けてもよく、このようにメンテナンスや交換に便利である。
【００４１】
また、図２に示された照明器具本体１は実施態様の一つに過ぎず、外形はＬＥＤ電球、感知式ＬＥＤ電球、ＬＥＤ管形電球、又は感知式ＬＥＤ管形電球でも差し支えない。外形がＬＥＤ電球、感知式ＬＥＤ電球、ＬＥＤ管形電球、又は感知式ＬＥＤ管形電球の照明器具本体は現在幅広く使用されていることから、ここではこれ以上図示せず、詳述もしないこととする。当然ながら、本考案は他のタイプの照明器具本体にも適用されることから、本考案の保護範囲は上記に列挙した照明器具本体の外形に限らない。
【００４２】
また、本好ましい実施形態では、照明器具本体１の制御回路１２１は無線信号受信回路１２１１を含み、商用電源誘導回路２４１は無線信号発信回路２４１１を含み、商用電力が一般の商用電源コンセントに給電できない時、停電信号を無線信号受信回路１２１１に発信し、商用電力が一般の商用電源コンセントに給電されると、受信信号を無線信号受信回路１２１１に発信する。商用電源誘導回路２４１と照明器具本体１の制御回路１２１との間は、無線通信によって信号を伝送し、別途導線で接続する必要がないため、使用面で一層便利となる。
【００４３】
また、本好ましい実施形態では、照明器具本体１のＬＥＤ灯セット１４は少なくとも、商用電力の給電によって照明を提供する第１ＬＥＤ灯セット（図示せず）、及び、蓄電装置１５の給電によって照明を提供する第２ＬＥＤ灯セット１４２を含む（図４参照）。
【００４４】
因みに、第１ＬＥＤ灯セットが出力する照明光線は第１照明パラメータを有し、第２ＬＥＤ灯セット１４２が出力する照明光線は第２照明パラメータを有するため、ユーザは容易に商用電力が正常な給電状態にあるか否かを識別できる。例を挙げると、第１照明パラメータと第２照明パラメータはそれぞれ第１照明の輝度と第２照明の輝度であり、第１照明の輝度は第２照明の輝度より大きく、こうしたことからも、第２ＬＥＤ灯セット１４２が第２照明の輝度を有する照明光線を出力する際に必要な消費電力は、第１ＬＥＤ灯セットが第１照明輝度を有する照明光線を出力する際に必要な消費電力より小さい。これにより、商用電力が停電状態にある時、蓄電装置１５が第２ＬＥＤ灯セット１４２に給電する時間を延長することができ、即ち、ユーザは更に長い応急照明時間を有することができる。また、本好ましい実施形態では、制御回路１２１は更に商用電力給電回路（図示せず）と停電制御回路１２１２を含み、商用電力給電回路は第１ＬＥＤ灯セットに電気的に接続され、停電制御回路１２１２は電圧調整回路１２１２１、充電回路１２１２２、及び第１制御チップＵ２を含む。電圧調整回路１２１２１は商用電力給電回路と充電回路１２１２２の間に電気的に接続され、充電回路１２１２２は電圧調整回路１２１２１と蓄電装置１５の間に電気的に接続され、第１制御チップＵ２は蓄電装置１５と第２ＬＥＤ灯セット１４２の間に電気的に接続され、無線信号受信回路１２１１は第１制御チップＵ２の信号入力端子に電気的に接続される。
【００４５】
さらに、商用電力給電回路の電源出力端子は電圧調整回路１２１２１の電源入力端子に、電圧調整回路１２１２１の電源出力端子は充電回路１２１２２の電源入力端子に、充電回路１２１２２の電源出力端子は蓄電装置１５に、蓄電装置１５は制御チップＵ２の電源入力端子に、第２ＬＥＤ灯セット１４２は制御チップＵ２の電源出力端子にそれぞれ接続される。詳述すると、電圧調整回路１２１２１は電圧調整チップＵ３を含み、電圧調整チップＵ３は７８Ｌ０５型番を選択するのが好ましく、第３ピンは商用電力給電回路の電源出力端子を接続し、第１ピンは電圧調整回路１２１２１の電源出力端子とし、第２ピンはアースする。
【００４６】
また、充電回路１２１２２は充電チップＵ４を含み、充電チップはＬＴ４５０４型番を選択するのが好ましく、第１ピンは電圧調整チップＵ３の第１ピンに電気的に接続され、両者の間は抵抗Ｒ１と充電指示灯ＬＥＤ３を直列にし、充電チップＵ４の第２ピンと第５ピンはそれぞれアースとし、充電チップＵ４の第３ピンは充電回路６の電源出力端子とする。
【００４７】
また、制御チップＵ２はＳＤ７８２３Ｐ−８型番を選択するのが好ましく、無線信号受信回路１２１１は制御チップＵ２の第７ピンに接続され、第２ＬＥＤ灯セット１４２の高電圧端子は制御チップＵ２の第３ピンに接続され、第２ＬＥＤ灯セット１４２の低電圧端子はアースする。
【００４８】
さらに、商用電力が正常に給電されている時、制御チップＵ２は受信信号を受信するが、この時、制御チップＵ２が蓄電装置１５を遮断して、蓄電装置１５が第２ＬＥＤ灯セット１４２に給電できなくするため、第２ＬＥＤ灯セット１４２は照明光線を出力することができない。同時に、商用電力が正常な給電状態にあることにより、照明器具本体１の商用電力給電回路と商用電力との間の導通スイッチ（図示せず。例：壁に取り付けられたスイッチ）がオンされると、第１ＬＥＤ灯セットが作動して点灯して照明光線を提供し、商用電力給電回路も同時に充電回路１２１２２に給電して、充電回路１２１２２が蓄電装置１５に充電する。
【００４９】
これと反対に、商用電力が停電状態にある時、蓄電装置１５は制御チップＵ２に電力を供給し、制御チップＵ２が停電信号を受信すると、制御チップＵ２が蓄電装置１５と第２ＬＥＤ灯セット１４２を電気的に導通させるため、蓄電装置１５は第２ＬＥＤ灯セット１４２に給電して、第２ＬＥＤ灯セット１４２を作動して照明光線を出力することができる。
【００５０】
また、本好ましい実施形態では、商用電源誘導回路２４１は更に整流回路２４１１、変圧回路２４１２、低圧の電圧調整回路２４１３、第２制御チップＵ１２、及び低圧の給電装置２４１４を含み、前記第２制御チップＵ１２は少なくとも第１電源入力端子（第１ピン）、第２電源入力端子（第７ピン）、及び無線信号出力端子（第９ピン）を備える。整流回路２４１１は変圧回路２４１２に、変圧回路２４１２は低圧の電圧調整回路２４１３に、低圧の電圧調整回路２４１３は第１電源入力端子（第１ピン）に、低圧の給電装置２４１４は第２電源入力端子（第７ピン）に、無線信号発信回路２４１１は無線信号出力端子（第９ピン）にそれぞれ電気的に接続される。
【００５１】
さらには、低圧の給電装置２４１４は別の電圧調整回路２４１４１、別の充電回路２４１４２、及び別の蓄電装置２４１４３を含み、前記別の電圧調整回路２４１４１、前記別の充電回路２４１４２、及び前記別の蓄電装置２４１４３、並びにこれらの接続関係は、それぞれ前記停電制御回路１２１２内の電圧調整回路１２１２１、充電回路１２１２２、及び蓄電装置１５に同じであることから、この場ではこれ以上詳述しないこととする。
【００５２】
また、商用電源誘導回路２４１はさらにスイッチ信号制御チップＳＷ１を含み、スイッチ信号制御チップＳＷ１は第２制御チップＵ１２を接続する。第２制御チップＵ１２はＳＤ７８２３Ｐ−１４型番を、スイッチ信号制御チップＳＷ１は２Ｓ−２４Ｄ０２型番を選択するのが好ましい。第２制御チップＵ１２の第７ピンは低圧の給電装置２４１４に接続され、第２制御チップＵ１２の第１ピンは第１電源入力端子とされ、低圧の電圧調整回路２４１３の電源出力端子に電気的に接続され、また、第２制御チップＵ１２の第３ピンはスイッチ信号制御チップＳＷ１の第３ピンと第４ピンに、第２制御チップＵ１２の第４ピンはスイッチ信号制御チップＳＷ１の第９ピンに電気的に接続されて第１０ピンと接続され、第２制御チップＵ１２の第９ピンは信号出力端子とされ、無線信号発信回路２４１１の信号受信端子に電気的に接続される。
【００５３】
さらに、商用電力が停電状態にある時、第２制御チップＵ１２の第１ピンの電位が変更され、第２制御チップＵ１２の第９ピンは無線信号発信回路２４１１に停電信号を出力し、無線信号発信回路２４１１は前記停電信号を照明器具本体１の制御回路１２１内の無線信号受信回路１２１１に発信することにより、照明器具本体１の蓄電装置１５が起動されて、第２ＬＥＤ灯セット１４２が応急照明を提供する。
【００５４】
因みに、本考案に係るＬＥＤ照明灯の商用電源誘導回路２４１は電子機能を提供する電気装置内に設けられ、又は単独で商用電源センサ内の一部材とされ、上記電気装置は電源延長コードコンセント、監視装置、ファン装置等といった室内電気装置、又は室外電気装置で差し支えないが、これらに限らない。
【００５５】
図８は好ましい実施形態における図６に示された商用電源誘導回路を設けた電気装置の外観構造の概略図、図９は図６に示された電気装置の別の視角からの外観構造の概略図、図１０は図６に示された電気装置の部材の一部の分解斜視図である。
【００５６】
本好ましい実施形態では、電気装置２は一般の商用電源コンセントに直接差し込める小型常夜灯、或いは電源延長コードのコンセントに差し込めて商用電源コンセントに間接的に電気的に接続された小型常夜灯であり、発光素子ユニット２１、ドラム２２、人体センサ２３、回路基板２４、プラグ円盤２５、調節ノブ２６、及びプラグ２７を含み、図６に示された商用電源誘導回路２４１は回路基板２４上に形成される。
【００５７】
人体センサ２３は検知範囲内に人体が進入したか否かを検知するためのもで、前記人体が検知範囲内に進入したのを人体センサ２３が検知すると、人体検知信号を発して、小型常夜灯が照明機能を提供することで、省エネ効果を達成する。また、発光素子ユニット２１は透明材質で製作されたドラム２２内に固定され、ユーザは実際の使用ニーズに応じて自らドラム２２を回転させて、発光素子の照射方向を変更することができる。このほか、プラグ２７は回転可能なプラグ円盤２５に結合され、ユーザは実際の使用ニーズに応じてプラグ２７の方向を変更することもできる。
【００５８】
また、調節ノブ２６はスイッチ信号制御チップＳＷ１に電気的に接続され、ユーザが前記調節ノブを操作して、信号制御チップＳＷ１がこれに対応する調節信号を第２制御チップＵ１２に出力することで、小型常夜灯の作動モードを選択することができる。詳述すると、本好ましい実施形態では、小型常夜灯の作動モードはオンモード、自動モード、及びオフモードを含み、小型常夜灯がオンモードにある時、小型常夜灯は照明光線を出力し続ける。前記小型常夜灯が自動モードにある時、小型常夜灯は、人体が検知範囲内に進入したのを人体センサが検知した時に限り、照明光線を出力する。小型常夜灯がオフモードにある時、小型常夜灯則は照明光線を出力しない。
【００５９】
小型常夜灯は更に、小型常夜灯の置かれている環境の輝度を検知するための光センサ（図示せず）を含み、上記小型常夜灯の作動モードは一層自由となる。例を挙げると、自動モードは第１自動モードと第２自動モードを含むように設計変更が可能で、第１自動モードは小型常夜灯の置かれている環境の輝度が特定数値より小さい時は照明光線を出力せず、人体が検知範囲内に進入したのを人体センサが検知した時に限り照明光線を出力することを表わし、これに対して、第２自動モードは小型常夜灯の置かれている環境の輝度が特定数値より小さい時、輝度が小さい照明光線を出力し、人体が検知範囲内に進入したのを人体センサが検知した時、輝度が大きい照明光線を出力することを表わす。
【００６０】
上記は商用電源誘導回路２４１が電気装置２（小型常夜灯）に設けられた実施形態に過ぎないが、当業者は何れも上記例を挙げた説明によって、本考案に係る技術を他の電気装置に組み入れる示唆が容易に得られる。商用電源誘導回路は単独で商用電源センサ内の一部材としなくて差し支えなく、つまり、一般に他の電子機能を備えた電気装置内に設けられることから、余計に使用スペースを占めたり、余分に一般の商用電源コンセントを占めたりすることがないため、本考案は実質的特長と顕著な進歩性を備えている。
【００６１】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００６２】
１  照明器具本体 
２  電気装置
８  一般の商用電源コンセント
９  商用電力
１１  ソケット 
１２  制御回路基板
１３  ハウジング 
１４  ＬＥＤ灯セット
１５  蓄電装置 
２１  発光素子ユニット
２２  ドラム 
２３  人体センサ
２４  回路基板 
２５  プラグ円盤
２６  調節ノブ 
２７  プラグ
１２１  制御回路 
１４２  第２ＬＥＤ灯セット
２４１  商用電源誘導回路 
１２１１  無線信号受信回路
１２１２  停電制御回路 
２４１１  整流回路
２４１２  変圧回路 
２４１３  低圧の電圧調整回路
２４１４  低圧の給電装置 
１２１２１  電圧調整回路
１２１２２  充電回路 
２４１４１  電圧調整回路
２４１４２  充電回路 
２４１４３  蓄電装置
Ｕ２  第１制御チップ 
Ｕ３  電圧調整チップ
Ｕ４  充電チップ 
Ｕ１２  第２制御チップ
ＳＷ１  信号制御チップ
【図１】
0003174544.tif 000003
【図２】
0003174544.tif 000004
【図３】
0003174544.tif 000005
【図４】
0003174544.tif 000006
【図５】
0003174544.tif 000007
【図６】
0003174544.tif 000008
【図７】
0003174544.tif 000009
【図８】
0003174544.tif 000010
【図９】
0003174544.tif 000011
【図１０】
0003174544.tif 000012
【手続補正書】
【提出日】平成24年1月19日(2012.1.19)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ灯セット、蓄電装置、及び制御回路を含み、前記ＬＥＤ灯セットと前記蓄電装置はそれぞれ前記制御回路に電気的に接続され、前記ＬＥＤ灯セットにおける少なくとも一部のＬＥＤ灯が商用電力の給電や前記蓄電装置の給電によって照明光線を出力する照明器具本体と、
一般の商用電源コンセントに接続されて、電子機能を提供する電気装置内に設けられた商用電源誘導回路と、
を含み、前記商用電源が前記一般の商用電源コンセントに給電できない場合、前記商用電源誘導回路は前記制御回路に停電信号を出力して、前記蓄電装置が前記ＬＥＤ灯セット内の少なくとも一部のＬＥＤ灯に給電することを特徴とするＬＥＤ照明灯。
【請求項２】
前記電気装置は室内電気装置や室外電気装置でよく、前記電気装置は更に、検知範囲内に人体が進入したか否かを検知するための人体センサを含み、前記人体が前記検知範囲内に進入したのを前記人体センサが検知すると、人体検知信号を発して、前記電気装置が前記電子機能を提供することを特徴とする請求項１に記載のＬＥＤ照明灯。
【請求項３】
前記電気装置は更に、前記電気装置が置かれている環境の輝度を検知するための光センサを含むことを特徴とする請求項２に記載のＬＥＤ照明灯。
【請求項４】
前記電気装置は小型常夜灯で、前記電子機能は照明機能であり、前記電気装置は更に調節ノブを含み、ユーザは前記調節ノブを操作して前記小型常夜灯が複数の作動モードのうちの何れにあるかを選択することを特徴とする請求項２に記載のＬＥＤ照明灯。
【請求項５】
前記複数の作動モードはオンモード、自動モード及びオフモードを含み、前記小型常夜灯が前記オンモードにある時、前記小型常夜灯は照明光線を出力し続け、前記小型常夜灯が前記自動モードにある時、前記小型常夜灯は前記人体が前記検知範囲内に進入したのを前記人体センサが検知すると照明光線を出力し、前記小型常夜灯がオフモードにある時、前記小型常夜灯は照明光線を出力しないままであることを特徴とする請求項４に記載のＬＥＤ照明灯。
【請求項６】
前記電気装置は電源延長コードコンセント、監視装置、又はファン装置であることを特徴とする請求項２に記載のＬＥＤ照明灯。
【請求項７】
前記蓄電装置は乾電池、蓄電池、又はリチウム電池で、前記蓄電装置は前記照明器具本体の内部に設けられるか、又は外部に取付けられ、前記照明器具本体はＬＥＤ電球、感知式ＬＥＤ電球、ＬＥＤ管形電球、又は感知式ＬＥＤ管形電球であることを特徴とする請求項１に記載のＬＥＤ照明灯。
【請求項８】
前記制御回路は無線信号受信回路を含み、前記商用電源誘導回路は無線信号発信回路を含み、前記商用電力が前記一般の商用電源コンセントに給電できない時、前記停電信号を前記無線信号受信回路に出力し、また／或いは前記商用電力が前記一般の商用電源コンセントに給電する時、受信信号を前記無線信号受信回路に出力することを特徴とする請求項１に記載のＬＥＤ照明灯。
【請求項９】
前記ＬＥＤ灯セットは前記商用電力の給電によって第１照明パラメータを備えた照明光線を出力し、前記蓄電装置の給電によって第２照明パラメータを備えた照明光線を出力することを特徴とする請求項８に記載のＬＥＤ照明灯。
【請求項１０】
前記ＬＥＤ灯セットは少なくとも第１ＬＥＤ灯セットと第２ＬＥＤ灯セットを含み、前記第１ＬＥＤ灯セットは前記第１照明パラメータを備えた照明光線を出力し、前記第２ＬＥＤ灯セットは前記第２照明パラメータを備えた照明光線を出力し、前記第１ＬＥＤ灯セットの前記第１照明パラメータを備えた照明光線を出力する際に必要な消費電力が、前記第２ＬＥＤ灯セットの前記第２照明パラメータを備えた照明光線を出力する際に必要な消費電力より大きいことを特徴とする請求項９に記載のＬＥＤ照明灯。
【請求項１１】
前記制御回路は更に商用電力給電回路と停電制御回路を含み、前記商用電力給電回路は前記第１ＬＥＤ灯セットに電気的に接続され、前記停電制御回路は電圧調整回路、充電回路、及び第１制御チップを含み、前記電圧調整回路は前記商用電力給電回路と前記充電回路の間に電気的に接続され、前記充電回路は前記電圧調整回路と前記蓄電装置の間に電気的に接続され、前記第１制御チップは前記蓄電装置と前記第２ＬＥＤ灯セットの間に電気的に接続され、前記無線信号受信回路は前記第１制御チップの信号入力端子に電気的に接続されることを特徴とする請求項１０に記載のＬＥＤ照明灯。
【請求項１２】
前記商用電源誘導回路は更に、整流回路、変圧回路、低圧の電圧調整回路、第２制御チップ、及び低圧の給電装置を含み、前記第２制御チップは少なくとも第１電源入力端子、第２電源入力端子、及び無線信号出力端子を備え、前記整流回路は前記変圧回路に、前記変圧回路は前記低圧の電圧調整回路に、前記低圧の電圧調整回路は前記第１電源入力端子に、前記低圧の給電装置は前記第２電源入力端子に、前記無線信号発信回路は前記無線信号出力端子にそれぞれ電気的に接続されることを特徴とする請求項１１に記載のＬＥＤ照明灯。
【請求項１３】
前記商用電源誘導回路は更に、前記第２制御チップに電気的に接続されるスイッチ信号制御チップを含むことを特徴とする請求項１２に記載のＬＥＤ照明灯。
【請求項１４】
ＬＥＤ灯セット、蓄電装置、及び制御回路を含み、前記ＬＥＤ灯セットと前記蓄電装置はそれぞれ前記制御回路に電気的に接続され、前記ＬＥＤ灯セットが商用電力の給電によって第１照明パラメータを備えた照明光線を出力し、又は前記蓄電装置の給電によって第２照明パラメータを備えた照明光線を出力する照明器具本体と、
前記商用電力が前記商用電源誘導装置に給電できない時、停電信号を前記制御回路に出力して、前記蓄電装置が前記ＬＥＤ灯セットに給電するための商用電源誘導回路を含む商用電源誘導装置と、
を含むことを特徴とするＬＥＤ照明灯。
【請求項１５】
前記蓄電装置は乾電池、蓄電池、又はリチウム電池で、前記蓄電装置は前記照明器具本体の内部に設けられるか、又は外部に取付けられ、前記照明器具本体はＬＥＤ電球、感知式ＬＥＤ電球、ＬＥＤ管形電球、又は感知式ＬＥＤ管形電球であることを特徴とする請求項１４に記載のＬＥＤ照明灯。
【請求項１６】
前記制御回路は無線信号受信回路を含み、前記商用電源誘導回路は無線信号発信回路を含み、前記商用電力が前記商用電源誘導装置に給電できない時、前記停電信号を前記無線信号受信回路に出力し、また／或いは前記商用電力が前記商用電源誘導装置に給電する時、受信信号を前記無線信号受信回路に出力することを特徴とする請求項１４に記載のＬＥＤ照明灯。
【請求項１７】
前記ＬＥＤ灯セットは少なくとも第１ＬＥＤ灯セットと第２ＬＥＤ灯セットを含み、前記第１ＬＥＤ灯セットは前記第１照明パラメータを備えた照明光線を出力し、前記第２ＬＥＤ灯セットは前記第２照明パラメータを備えた照明光線を出力し、前記第１ＬＥＤ灯セットの前記第１照明パラメータを備えた照明光線を出力する際に必要な消費電力が、前記第２ＬＥＤ灯セットの前記第２照明パラメータを備えた照明光線を出力する際に必要な消費電力より大きいことを特徴とする請求項１６に記載のＬＥＤ照明灯。
【請求項１８】
前記制御回路は更に商用電力給電回路と停電制御回路を含み、前記商用電力給電回路は前記第１ＬＥＤ灯セットに電気的に接続され、前記停電制御回路は電圧調整回路、充電回路、及び第１制御チップを含み、前記電圧調整回路は前記商用電力給電回路と前記充電回路の間に電気的に接続され、前記充電回路は前記電圧調整回路と前記蓄電装置の間に電気的に接続され、前記第１制御チップは前記蓄電装置と前記第２ＬＥＤ灯セットの間に電気的に接続され、前記無線信号受信回路は前記第１制御チップの信号入力端子に電気的に接続されることを特徴とする請求項１７に記載のＬＥＤ照明灯。
【請求項１９】
前記商用電源誘導回路は更に、整流回路、変圧回路、低圧の電圧調整回路、第２制御チップ、及び低圧の給電装置を含み、前記第２制御チップは少なくとも第１電源入力端子、第２電源入力端子、及び無線信号出力端子を備え、前記整流回路は前記変圧回路に、前記変圧回路は前記低圧の電圧調整回路に、前記低圧の電圧調整回路は前記第１電源入力端子に、前記低圧の給電装置は前記第２電源入力端子に、前記無線信号発信回路は前記無線信号出力端子にそれぞれ電気的に接続されることを特徴とする請求項１８に記載のＬＥＤ照明灯。
【請求項２０】
前記商用電源誘導回路は更に、前記第２制御チップに電気的に接続されるスイッチ信号制御チップを含むことを特徴とする請求項１９に記載のＬＥＤ照明灯。
【請求項２１】
前記商用電源誘導装置は一般の商用電源コンセントに差し込まれ、又は電気装置内に設けられることを特徴とする請求項１４に記載のＬＥＤ照明灯。
【請求項２２】
前記電気装置は室内電気装置や室外電気装置でよく、前記電気装置は更に、検知範囲内に人体が進入したか否かを検知するための人体センサを含み、前記人体が前記検知範囲内に進入したのを前記人体センサが検知すると、人体検知信号を発して、前記室内電気装置が電子機能を提供することを特徴とする請求項２１に記載のＬＥＤ照明灯。
【請求項２３】
前記電気装置は小型常夜灯で、前記電子機能は照明機能であり、前記電気装置は更に調節ノブを含み、ユーザは前記調節ノブを操作して前記小型常夜灯が複数の作動モードのうちの何れにあるかを選択することを特徴とする請求項２２に記載のＬＥＤ照明灯。
【請求項２４】
前記複数の作動モードはオンモード、自動モード及びオフモードを含み、前記小型常夜灯が前記オンモードにある時、前記小型常夜灯は照明光線を出力し続け、前記小型常夜灯が前記自動モードにある時、前記小型常夜灯は前記人体が前記検知範囲内に進入したのを前記人体センサが検知すると照明光線を出力し、前記小型常夜灯がオフモードにある時、前記小型常夜灯は照明光線を出力しないままであることを特徴とする請求項２３に記載のＬＥＤ照明灯。
【請求項２５】
前記電気装置は電源延長コードコンセント、監視装置、又はファン装置であることを特徴とする請求項２１に記載のＬＥＤ照明灯。
【請求項２６】
前記電気装置は更に、前記電気装置が置かれている環境の輝度を検知するための光センサを含むことを特徴とする請求項２１に記載のＬＥＤ照明灯。